(57)【要約】【課題】通常の風を風車に使用するには風力が少ないので風を集めて風力を増すため風上側の風集の間を広くするのですが強風時風集に大きな風圧力がかかってこわれるという門題があった風車がこわれないようにする。【解決手段】風を集める風集に反発手段を設けて通常の風は反発手段の力が強いので風集の役目を果して風車が回転し強風時風集に設けた反発手段が強風に負けて風集を風下方向に角度回転させて強風を逃がして強風圧の力を風集に受けなくする。【選択図】図１
2010265883.tif 000002
【特許請求の範囲】
【請求項１】
風上側の各各の風上風骨（１１）、（１６）の間を風下側の各各の風下風骨（７）、（１９）の間より広くし各各の風下風骨のどちらか１方の風下側につなぎ（６）を介して風力骨（５）を設け他方の風下風骨の風下側で風力骨の斜め風下側に風下風力骨（１）を設け各各風筋（１３）、（１５）、（２０）、（２１）、（２２）、（８）、（１７）、（３）で結合し、風上風骨（１１）、（１６）と風下風骨（７）、（１９）、又は風力骨（５）と風下風力骨（１）に略直角に風集軸支持（８）を複数設けて風集（９）、（１２）の風上風骨（１１）、（１６）と平行の方向の風集の木口の任意の所に回転軸を設けて強風が風集に当った時に風集に設けた任意の反発手段が強風に負けて強風を通す事を特徴とした風負風集風車。
【請求項２】
風力骨（５）と風下風力骨（１）に略直角に風力板軸支持（３）を設け風力板軸支持に風力骨と略平行に風力板軸支持の任意の所に風力板支持を設けて風力板支持に回転可に風力板を支持し強風が風力板に当たった時に風力板に設けた任意の反発手段が強風に負けて強風を逃がす事を特徴とした請求項１記載の風負風集風車。
【請求項３】
風上風骨（１１）、（１６）と風下風骨（７）、（１９）の間に風上風骨（１１）（１６）と略直角方向の軸（１７）を設けて軸に角回転可に風集を支持し強風が風集に当った時に風集に設けた任意の反発手段が強風に負けて強風を通す事を特徴とした請求項１記載の風負風集風車。
【請求項４】
風力骨（５）と風下風力骨（１）に略直角方向に軸を設けて軸に角回転可に風力板を支持し強風が風力板に当った時風力板に設けた任意の反発手段が強風に負けて強風を通す事を特徴とした請求項１記載の風負風集風車。
【請求項５】
風上風骨（１１）、（１６）と風下風骨（７）、（１９）に風上風骨に斜め方向に軸を設け軸に角度回転可に風集を設け強風が風集に当った時風集に設けた任意の反発手段が強風に負けて強風を通す事を特徴とした請求項１記載の風負風集風車。
【請求項６】
風力骨（５）と風下風力骨（１）に風力骨（５）と斜め方向に軸を設け軸に角回転可の風力板を設けて強風が風力板に当った時風力板に設けた任意の反発手段が強風に負けて強風を通す事を特徴とした請求項１記載の風負風集風車。
【請求項７】
風上風骨（１１）、（１６）と風下風骨（７）、（１９）に風集を設けて風集に小窓を設けて小窓に任意の方向で任意の位置に軸を設けて軸に角回転可の小風集を設けて強風が小風集に当った時に小風集に設けた任意の反発手段が強風に負けて強風を通す事を特徴とした請求項１又は３又は５記載の風負風集風車。
【請求項８】
風力骨（５）と風下風力骨（１）の間に風力板を設けて風力板に小窓を設けて小窓に任意の方向で任意の位置に軸を設けて軸に角回転可の小風力板を設けて強風が小風力板に当った時小風力板に設けた任意の反発手段が強風に負けて強風を通す事を特徴とした請求項２又は４又は６記載の風負風集風車。
【請求項９】
各各の風上風骨（４１１）、（４１８）の間を風下風骨（４０７）、（４２３）の間より広くし風下風骨のどちらか１方の風下側につなぎ（４０６）を介して風力骨（４０３）を設けて風力骨（４０３）の斜め風下側に風下風力骨（４００）を設けて各各風筋（４２６）、（４２４）、（４２５）、（４１３）、（４１４）、（４１５）、（４１６）、（４１７）で各各結合し風上風骨（４１１）、（４１８）に各各風集支持（４１２）、（４１９）を各各角回転自由に支持し各各の風集支持に風集（４０９）、（４２１）を固着し各各の風集に反発手段付調整器を設ける事を特徴とした請求項１又は３又は５又は７記載の風負風集風車。
【請求項１０】
風力骨（４０３）に風力板支持（４０４）を回転自由に支持させて風力板支持に風力板（４０１）を固着して風力板に反発手段付調整器を設ける事を特徴とした請求項２又は４又は６又は８記載の風負風集風車。
【請求項１１】
反発手段により強風が並風になった時に風集が戻って衝突により音が出るが出ないよう風集又は風集を受け止める所の少なくともどちらか１方に緩衝材を設ける事を特徴とした請求項１又は３又は５又は７又は９記載の風負風集風車。
【請求項１２】
反発手段により風力板は強風が並風になった時に戻りますその時音も出ますが衝突音が出ないよう風力板又は風力板を受け止める材の少なくともどちらか１方に緩衝材を設ける事を特徴とした請求項２又は４又は６又は８又は１０記載の風負風集風車。
【請求項１３】
風上風骨（４１１）の風上側に風集に連動する任意の方法で風集補助（４２７）を設ける事を特徴とした請求項９又は１１記載の風負風集風車。
【請求項１４】
広くした風上風骨（４１１）（４１８）の間そして狭くした風下風骨（４０７）、（４２３）でどちらか１方の風下側につなぎを介して風力骨（４０３）を設け風力骨の斜め風下側に風下風力骨（４００）を設けて各各風筋（４２６）、（４２５）、（４２４）（４１１）、（４１３）（４１６）（４１７）でつなぎ風上風骨（４１１）、（４１８）に風集支持（４１２）、（４１９）を回転自由に支持し風集支持に風集を固着し風集に反発手段付調整器を設け風上風骨の風上側に風集補助（４２８）を固着する事を特徴とした風負風集風車。
【請求項１５】
風上風骨（４１１）、（４１８）に回転可に支持される風集又は風集を受け止める材の少なくともどちらか１方に暖衝材を設ける事を特徴とした請求項１４記載の風負風集風車。
【請求項１６】
風力骨（４０３）に回転可に支持される風力板又は風力板を受け止める材の少なくともどちらか１方に暖衝材を設ける事を特徴とした請求項１４記載の風負風集風車。
【発明の詳細な説明】
【技術分野】
【０００１】風上側の風集の間を広くし風下側の風集の間を狭くして風圧力を上げるが風上側の風圧面積が広いので強風時風集又は支柱がこわれる。
【背景技術】
【０００２】特願２００７−７５５５８、特願２００６−１３４４９４等がある。
【発明の開示】
【発明が解決しようとする課題】
【０００３】風上側の各各の風集の間を広くし風下側の各各の風集の間を狭くして風圧を上げて風車の推進力部に吹き付けて推力を上げるのですが風上側の風集の風圧面積が広いので強風の時風圧が大きくなるので風集がこわれたり支柱がこわれたりするのでこわれないようにする。
【課題を解決するための手段】
【０００４】風上側に各各風上風骨を間を設けて設け風下側に風上風骨と風上風骨の間より狭くして各各風下風骨を設け風下風骨のどちらか１方の風下風骨の風下側につなぎを介して風力骨を設け他方の風下風骨の風下側と風力骨の斜め風下側の所に風下風力骨を設け各各風筋２６、２２、２１、２０、１５、１３、２４、２５、でつなぎ風筋を回転軸又は固定軸と兼用する事もあり【０００５】風上風骨１１、１６と風下風骨７、１９の間に風上風骨に直角方向に又は斜め方向に回転軸支持８を設けて回転軸支持に風上風骨と略平行で回転軸支持の任意の所に回転可の回転軸を設け又は固定軸を設けてどちらか１方に回転可に風集を設けて風集にバネ又はシリンダーとピストンの中の気体圧又は角回転モータの中の気体圧又はゴム又は容積形流体モータの排出口を塞いだ気体圧等の反発手段により通常は風集の風上側は広く風下側は狭くしておくので強風が風集に当った時風集に設けた上記反発手段等が強風に負けて風集が風下方向と略平行になって風を逃がす事により風集又は支柱がこわれない。【０００６】風力骨と風下風力骨の間に任意の方向に回転軸支持を設けて回転軸支持に風力骨と略平行に任意の所に回転可の回転軸又は固定軸を設けてどちらか１方に回転可の風力板を設けて風力板に上記反発手段を設けて通常は反発手段により風力板を風下方向と角度はあるが強風の時風力板に強風が当って上記反発手断が強風に負けて風力板が風下方向と略平行になる事により強風を逃がす事で風力板又は支柱がこわれない。【０００７】風上風骨と風下風骨の間に任意の方向に回転軸又は固定軸のどちらか１方を設けて回転可の風集を支持させて風集に設けた上記反発手段により通常は風集の風上側は広く風下側は狭いが強風時風集に強風が当って強風に上記反発手段が負けて風集が風下方向と平行になる事により強風を逃がす事で風集又は支柱がこわれない。【０００８】風力骨と風下風力骨の間に任意の方向に回転軸又は固定軸のどちらか１を設けて回転可に風力板を設けて風力板に設けた上記反発手段により通常は風下方向と風力板の角度は１２０度角から１５０度角位あるが強風時風力板に強風が当って風力板に設けた上記反発手段が強風に負けて風力板が風下方向と平行になる事により強風を逃がす事で風力板又は支柱がこわれない。【０００９】風上風骨と風下風骨の間に風集を設けて風集に小窓を設けて小窓に任意の方向で任意の位置に回転軸又は固定軸を設けてどちらか１方に回転可の小風集に上記反発手段を設けて何個所か設け通常は風集と小風集は１の平面であるが強風時小風集に強風が当って小風集に設けた反発手段が強風に負けて小風集が風下方向と平行になる事により強風が逃げて小風集又は支柱がこわれない。【００１０】風力骨と風下風力骨の間に風力板を設け風力板に小窓を設けて小窓に任意の方向で任意の位置に回転軸又は固定軸のどちらか１方を設けて回転可の小風力板に上記反発手段を設けて設ける上記反発手段により風力板面と小風力板面は１平面であるが強風時強風が小風力板に当って小風力板に設けた反発手段が強風に負けて小風力板が風下方向と平行になる事により強風が逃げる事で小風力板又は支柱がこわれない。
【発明の効果】
【００１１】各各の方向に角回転する風集又は小風集又は風力板又は小風力板に上記反発手段を設ける事により強風時強風が上記風集又は小風集又は風力板又は小風力板に当たり上記設けた反発力が強風に負けて風下方向に平行になる事により強風が逃げるので風圧がかからなくなるので風集又は小風集又は風力板又は小風力板又は支柱がこわれない。
【発明を実施するための最良の形態】
【００１２】風上側の風上風骨１１、１６を２本間を広くして設け風下側の風下風骨７、１９の間を風上風骨の間より狭くし風下風骨のどちらか１方の風下側につなぎ６を介して風力骨（５）を設け風下風骨の他の風下側で風力骨５の斜め風下側に風下風力骨１を設け、風筋２４、１５、１３、２５、２０、２６、２２、で各各つなぎ風上風骨と風下風骨に直角に回転軸支持８を設けて回転軸支持の上部に固定軸を設けて固定軸に風集支持２７を回転可に支持させて風集支持２７に風集９、１２を支持し風集にバネ１４で反発力を与えて結合するか風集にバネ１４を結合してバネの他端に反発調整器を設けて反発調整器の他端を固定軸に固定して反発力を調整する。【００１３】風力骨５と風下風力骨１の間に風力骨５と略直角に固定軸３を設けて固定軸３に風力板支持を回転可に支持させて風力板支持に風力板を固着して風力板にバネを設けてバネに反発調整器を設けて反発調整器の他端を固定軸に固着してから反発調整器で反発力を調整する。そして緩衝材を風筋に設ける。
【実施例】
【００１４】回転反発バネ２０４、１０４を使った時は回転反発バネの１方を風集又は風力板に固着し他方を調整盤２００に固着し調整盤に増力棒２０１が着脱可能な手段を設け又はギア又はウォームギアの１方を設けて固定盤２０５にギア又はウォームギアの他方を設けて各各噛み合せ小さな力で大きな反発力を動かすか又は固定軸に角回転モータの固定軸５５、７６と結合し外枠を風集又は風力板に固着して流体圧の反発力で調整する事もある。風集又は風力板と風筋又は片持材の間はつる巻バネ又はゴムの少なくともどちらか１端に伸縮調整手段を設けて各各結合する。
【産業上の利用可能性】
【００１５】風力発電。
【図面の簡単な説明】
【００１６】
【図１】風負風集風車の１般断面図。
【図２】Ａ−Ａ断面図
【図３】角回転モータの１般断面図。
【図４】角回転モータの１般断面図。
【図５】反発回転バネと風集又は風力板の詳細図
【図６】風負風集風車の１般断面図。
【符号の説明】
【００１７】
2010265883.tif 000003
流通口１方              ７１、５９
流通路１方              ７２、５８
バネ枠                  ７３
バネ                    ２３、２３Ａ、３１、３１Ａ、７７
仕切板                  ７４
可動枠                  ７５
固定軸                  １０、７６
流通路他方              ７８、５７
流通口他方              ７９、６０
2010265883.tif 000004
風集支持                ４１２、４１９、４０４、３２
風集軸支持              ８
風集                    ４２１、４０９、４０２
風集補助                ４２７、４２８
増力枠                  ２０１、３０１、２０２、３０２
反発調整付バネ          １４、１０４、４２０、４１０、４０５
調整盤                  ２００、３０３
固定盤                  ２０５、３０４、３０５
風下風力骨              １、４００
小風力板                ２、４
風力板軸支持            ３
風力骨                  ５、４０３
つなぎ                  ６、４０６
風下風骨                ７、１９、４０７、４２３
風上風骨                １１、１６、４１１、４１８
風筋                    １５、８、２０、２１、２２、
４１３、４１４、４１５、４１６
１３、４１７、４２４、４０５
４２６
軸                      １７
固定受圧部              ５１
可動受圧部              ５２
2010265883.tif 000005
固定内枠                ５４
固定軸                  ５５
【図１】
2010265883.tif 000006
【図２】
2010265883.tif 000007
【図３】
2010265883.tif 000008
【図４】
2010265883.tif 000009
【図５】
2010265883.tif 000010
【図６】
2010265883.tif 000011